(57)【特許請求の範囲】
【請求項１】
配線器具等の被取着物が、ビスを用いて取着される取着体であって、取着体本体と、前記ビスを固定するための、板材からなるビス固定部材とからなり、
前記取着体本体は、少なくとも一方に開放部を有する内部空間を形成するようにその内部空間を囲む周壁と、前記周壁の内面側に位置するボス部とを備え、
前記ボス部には、前記ビスのビス軸部が前記開放部側から挿入される挿入孔と、その挿入孔と連通するとともに前記ビス固定部材が収容される収容空間とが設けられ、
前記ビス固定部材は、弾性係合片を備え、その弾性係合片は、その弾性係合片の先端が前記挿入孔に挿入された前記ビス軸部の雄ねじに係合して、そのビス軸部の抜けを阻止するよう、前記挿入孔側に向かって延設され、
前記挿入孔は、前記ビスが前記挿入孔に対して傾くのを防ぐべく、前記ビス軸部をそのビス軸部の挿入方向と直交するいずれの方向への移動も規制するようにして、前記ビス軸部を前記挿入孔の略中心線上に位置するよう規制するための、前記収容空間よりも前側に設けられた第１のビス規制孔と、前記収容空間よりも奥側に設けられた第２のビス規制孔とを有することを特徴とする取着体。
【請求項２】
前記第１および第２のビス規制孔は、前記ビス軸部がちょうど嵌まる断面円形に形成されていることを特徴とする請求項１に記載の取着体。
【請求項３】
配線器具等の被取着物が、ビスを用いて取着される取着体であって、取着体本体と、前記ビスを固定するための、板材からなるビス固定部材とからなり、
前記取着体本体は、少なくとも一方に開放部を有する内部空間を形成するようにその内部空間を囲む周壁と、前記周壁の内面側に位置するボス部とを備え、
前記ボス部には、前記ビスのビス軸部が前記開放部側から挿入される挿入孔と、その挿入孔と連通するとともに前記ビス固定部材が収容される収容空間とが設けられ、
前記ビス固定部材には、弾性係合片が一つ設けられ、その弾性係合片は、その弾性係合片の先端が前記挿入孔に挿入された前記ビス軸部の雄ねじに係合して、そのビス軸部の抜けを阻止するよう、前記挿入孔側に向かって延設され、
前記挿入孔は、前記ビス軸部を前記挿入孔の略中心線上に位置するよう規制するための、前記収容空間よりも前側に設けられた第１のビス規制孔と、前記収容空間よりも奥側に設けられた第２のビス規制孔とを有し、かつ、
前記挿入孔には、前記弾性係合片と対向して、前記ビス軸部を前記弾性係合片がある側とは反対側の方向および前記弾性係合片の延設方向と直交する横方向に移動しないように規制するビス規制部が設けられていることを特徴とする取着体。
【請求項４】
配線器具等の被取着物が、ビスを用いて取着される取着体であって、取着体本体と、前記ビスを固定するための、板材からなるビス固定部材とからなり、
前記取着体本体は、少なくとも一方に開放部を有する内部空間を形成するようにその内部空間を囲む周壁と、前記周壁の内面側に位置するボス部とを備え、
前記ボス部には、前記ビスのビス軸部が前記開放部側から挿入される挿入孔と、その挿入孔と連通するとともに前記ビス固定部材が収容される収容空間とが設けられ、
前記ビス固定部材は、本体部と、その本体部から延設される弾性係合片とを備え、その弾性係合片は、その弾性係合片の先端が前記挿入孔に挿入された前記ビス軸部の雄ねじに係合して、そのビス軸部の抜けを阻止するよう、前記挿入孔側に向かって延設され、
前記挿入孔は、前記ビス軸部を前記挿入孔の略中心線上に位置するよう規制するための、前記収容空間よりも前側に設けられた第１のビス規制孔と、前記収容空間よりも奥側に設けられた第２のビス規制孔とを有し、
前記収容空間は、前記挿入孔と交差する方向に延設されて、その交差する方向に開口し、
前記収容空間には、前記本体部の板面を部分的に押えるための一対の押えリブが、前記挿入孔に挿入された前記ビス軸部を挟むように、かつ、前記収容空間の延設方向に延びるように形成されていることを特徴とする取着体。
【請求項５】
配線器具等の被取着物が、ビスを用いて取着される取着体と、前記ビスとからなる取着装置であって、
前記取着体は、取着体本体と、前記ビスを固定するための、板材からなるビス固定部材とからなり、
前記取着体本体は、少なくとも一方に開放部を有する内部空間を形成するようにその内部空間を囲む周壁と、前記周壁の内面側に位置するボス部とを備え、
前記ボス部には、前記ビスのビス軸部が前記開放部側から挿入される挿入孔と、その挿入孔と連通するとともに前記ビス固定部材が収容される収容空間とが設けられ、
前記ビス固定部材は、弾性係合片を備え、その弾性係合片は、その弾性係合片の先端が前記挿入孔に挿入された前記ビス軸部の雄ねじに係合して、そのビス軸部の抜けを阻止するよう、前記挿入孔側に向かって延設され、
前記挿入孔は、前記ビス軸部を前記挿入孔の略中心線上に位置するよう規制するための、前記収容空間よりも前側に設けられた第１のビス規制孔と、前記収容空間よりも奥側に設けられた第２のビス規制孔とを有し、
前記ビスにおける前記ビス軸部は、前記雄ねじが形成されたねじ形成部と、そのねじ形成部よりも先端側に位置して平滑な周面を備えた滑面部とを有し、
前記第２のビス規制孔は、前記弾性係合片が前記ねじ形成部の先端に位置する前記雄ねじに係合したとき、前記滑面部が前記第２のビス規制孔に嵌まるように、位置していることを特徴とする取着装置。
【発明の詳細な説明】
【技術分野】
【０００１】
この発明は、配線器具等の被取着物が取着される、取着体および取着装置に関するものである。
【背景技術】
【０００２】
従来、例えば、建物の壁表側から、被取着物としての配線器具を固定するには、配線器具が取り付けられた器具枠を、壁内に隠蔽もしくは埋設された取着体としての配線用ボックスに、ビスを用いて取り付けていた（例えば、特許文献１参照）。図１２に示されるように、この配線用ボックス１２は、ボス部１３が形成され、そのボス部１３には、前面から挿入孔１３ａが明けられていた。そして、その挿入孔１３ａに挿入されたビス１４のビス軸部１４ａが、ボス部１３内に設けられたビス固定部材１５の板状の弾性係合片１５ａと係合することで、壁１１の表側の器具枠１６（配線器具）は、配線用ボックス１２に取り付けられた。
【０００３】
【特許文献１】特開２００５−１２８７７号
【発明の開示】
【発明が解決しようとする課題】
【０００４】
ところで、前記従来の配線用ボックス１２にあっては、ビス軸部１４ａが挿入される挿入孔１３ａは、ビス固定部材１５の前後に渡って設けられていたが、特に後側の挿入孔１３ａは、ビス軸部１４ａよりも大きな径で明けられていた。そのため、ビス１４が、挿入孔１３ａに対して傾く虞があった。
【０００５】
この発明は、上記した従来の欠点を解決するためになされたものであり、その目的とするところは、ビスが挿入孔に対して傾くのを防ぎ、弾性係合片をビス軸部に的確に係合させることができる取着体および取着装置を提供することにある。
【課題を解決するための手段】
【０００６】
この発明に係る取着体および取着装置は、前記目的を達成するために、次の構成からなる。すなわち、
請求項１に記載の発明に係る取着体は、配線器具等の被取着物が、ビスを用いて取着される取着体であって、取着体本体と、前記ビスを固定するための、板材からなるビス固定部材とからなる。ここで、前記取着体本体は、少なくとも一方に開放部を有する内部空間を形成するようにその内部空間を囲む周壁と、前記周壁の内面側に位置するボス部とを備える。このボス部には、前記ビスのビス軸部が前記開放部側から挿入される挿入孔と、その挿入孔と連通するとともに前記ビス固定部材が収容される収容空間とが設けられている。一方、前記ビス固定部材は、弾性係合片を備え、その弾性係合片は、その弾性係合片の先端が前記挿入孔に挿入された前記ビス軸部の雄ねじに係合して、そのビス軸部の抜けを阻止するよう、前記挿入孔側に向かって延設されている。ここにおいて、前記挿入孔は、前記ビスが前記挿入孔に対して傾くのを防ぐべく、前記ビス軸部をそのビス軸部の挿入方向と直交するいずれの方向への移動も規制するようにして、前記ビス軸部を前記挿入孔の略中心線上に位置するよう規制するための、前記収容空間よりも前側に設けられた第１のビス規制孔と、前記収容空間よりも奥側に設けられた第２のビス規制孔とを有する。
【０００７】
これにより、この取着体に配線器具等の被取着物を取り付けるには、この取着体のボス部に設けられた挿入孔に、取着体の開放部側から、ビスのビス軸部を押し込むようにして挿入する。こうすることで、ビス軸部の雄ねじに、ボス部の収容空間に収容されたビス固定部材の弾性係合片の先端が係合する。こうして、ビスが取着体のボス部に固定され、被取着物は、取着体に取着される。ここで、ビス軸部が挿入される挿入孔は、ビス固定部材が収容される収容空間よりも前側の第１のビス規制孔と、収容空間よりも奥側の第２のビス規制孔を有している。そして、収容空間を挟むように位置するこれら第１および第２のビス規制孔により、ビス軸部は、挿入孔の略中心線上に位置するように規制され、こうして、ビスが挿入孔に対して傾くのを防ぐことができる。
【０００８】
また、請求項２に記載の発明に係る取着体にあっては、請求項１に記載の取着体において、前記第１および第２のビス規制孔は、前記ビス軸部がちょうど嵌まる断面円形に形成されている。
【０００９】
また、請求項３に記載の発明に係る取着体は、配線器具等の被取着物が、ビスを用いて取着される取着体であって、取着体本体と、前記ビスを固定するための、板材からなるビス固定部材とからなる。ここで、前記取着体本体は、少なくとも一方に開放部を有する内部空間を形成するようにその内部空間を囲む周壁と、前記周壁の内面側に位置するボス部とを備える。このボス部には、前記ビスのビス軸部が前記開放部側から挿入される挿入孔と、その挿入孔と連通するとともに前記ビス固定部材が収容される収容空間とが設けられている。一方、前記ビス固定部材には、弾性係合片が一つ設けられ、その弾性係合片は、その弾性係合片の先端が前記挿入孔に挿入された前記ビス軸部の雄ねじに係合して、そのビス軸部の抜けを阻止するよう、前記挿入孔側に向かって延設されている。ここにおいて、前記挿入孔は、前記ビス軸部を前記挿入孔の略中心線上に位置するよう規制するための、前記収容空間よりも前側に設けられた第１のビス規制孔と、前記収容空間よりも奥側に設けられた第２のビス規制孔とを有する。そして、前記挿入孔には、前記弾性係合片と対向して、前記ビス軸部を前記弾性係合片がある側とは反対側の方向および前記弾性係合片の延設方向と直交する横方向に移動しないように規制するビス規制部が設けられている。
これにより、この取着体に配線器具等の被取着物を取り付けるには、この取着体のボス部に設けられた挿入孔に、取着体の開放部側から、ビスのビス軸部を押し込むようにして挿入する。こうすることで、ビス軸部の雄ねじに、ボス部の収容空間に収容されたビス固定部材の弾性係合片の先端が係合する。こうして、ビスが取着体のボス部に固定され、被取着物は、取着体に取着される。ここで、ビス軸部が挿入される挿入孔は、ビス固定部材が収容される収容空間よりも前側の第１のビス規制孔と、収容空間よりも奥側の第２のビス規制孔を有している。そして、収容空間を挟むように位置するこれら第１および第２のビス規制孔により、ビス軸部は、挿入孔の略中心線上に位置するように規制され、こうして、ビスが挿入孔に対して傾くのを防ぐことができる。
【００１０】
また、請求項４に記載の発明に係る取着体は、配線器具等の被取着物が、ビスを用いて取着される取着体であって、取着体本体と、前記ビスを固定するための、板材からなるビス固定部材とからなる。ここで、前記取着体本体は、少なくとも一方に開放部を有する内部空間を形成するようにその内部空間を囲む周壁と、前記周壁の内面側に位置するボス部とを備える。このボス部には、前記ビスのビス軸部が前記開放部側から挿入される挿入孔と、その挿入孔と連通するとともに前記ビス固定部材が収容される収容空間とが設けられている。一方、前記ビス固定部材は、本体部と、その本体部から延設される弾性係合片とを備え、その弾性係合片は、その弾性係合片の先端が前記挿入孔に挿入された前記ビス軸部の雄ねじに係合して、そのビス軸部の抜けを阻止するよう、前記挿入孔側に向かって延設されている。ここにおいて、前記挿入孔は、前記ビス軸部を前記挿入孔の略中心線上に位置するよう規制するための、前記収容空間よりも前側に設けられた第１のビス規制孔と、前記収容空間よりも奥側に設けられた第２のビス規制孔とを有する。そして、前記収容空間は、前記挿入孔と交差する方向に延設されて、その交差する方向に開口する。この収容空間には、前記本体部の板面を部分的に押えるための一対の押えリブが、前記挿入孔に挿入された前記ビス軸部を挟むように、かつ、前記収容空間の延設方向に延びるように形成されている。
これにより、この取着体に配線器具等の被取着物を取り付けるには、この取着体のボス部に設けられた挿入孔に、取着体の開放部側から、ビスのビス軸部を押し込むようにして挿入する。こうすることで、ビス軸部の雄ねじに、ボス部の収容空間に収容されたビス固定部材の弾性係合片の先端が係合する。こうして、ビスが取着体のボス部に固定され、被取着物は、取着体に取着される。ここで、ビス軸部が挿入される挿入孔は、ビス固定部材が収容される収容空間よりも前側の第１のビス規制孔と、収容空間よりも奥側の第２のビス規制孔を有している。そして、収容空間を挟むように位置するこれら第１および第２のビス規制孔により、ビス軸部は、挿入孔の略中心線上に位置するように規制され、こうして、ビスが挿入孔に対して傾くのを防ぐことができる。また、収容空間に、ビス固定部材の本体部の板面を部分的に押える一対の押えリブを設けることで、それら押えリブの突出高さに応じて、収容空間を広くすることができる。このため、この収容空間の形成が容易となる。しかも、一対の押えリブがビス軸部を挟むことから、これら押えリブによって、挿入孔へのビス軸部の挿入途中において、ビスが傾くのを規制することができる。
【００１１】
また、請求項５に記載の発明に係る取着装置は、配線器具等の被取着物が、ビスを用いて取着される取着体と、前記ビスとからなる。ここで、前記取着体は、取着体本体と、前記ビスを固定するための、板材からなるビス固定部材とからなる。前記取着体本体は、少なくとも一方に開放部を有する内部空間を形成するようにその内部空間を囲む周壁と、前記周壁の内面側に位置するボス部とを備える。このボス部には、前記ビスのビス軸部が前記開放部側から挿入される挿入孔と、その挿入孔と連通するとともに前記ビス固定部材が収容される収容空間とが設けられている。前記ビス固定部材は、弾性係合片を備え、その弾性係合片は、その弾性係合片の先端が前記挿入孔に挿入された前記ビス軸部の雄ねじに係合して、そのビス軸部の抜けを阻止するよう、前記挿入孔側に向かって延設されている。ここにおいて、前記挿入孔は、前記ビス軸部を前記挿入孔の略中心線上に位置するよう規制するための、前記収容空間よりも前側に設けられた第１のビス規制孔と、前記収容空間よりも奥側に設けられた第２のビス規制孔とを有する。また、前記ビスにおける前記ビス軸部は、前記雄ねじが形成されたねじ形成部と、そのねじ形成部よりも先端側に位置して平滑な周面を備えた滑面部とを有する。そして、前記第２のビス規制孔は、前記弾性係合片が前記ねじ形成部の先端に位置する前記雄ねじに係合したとき、前記滑面部が前記第２のビス規制孔に嵌まるように、位置している。
これにより、取着体に配線器具等の被取着物を取り付けるには、この取着体のボス部に設けられた挿入孔に、取着体の開放部側から、ビスのビス軸部を押し込むようにして挿入する。こうすることで、ビス軸部の雄ねじに、ボス部の収容空間に収容されたビス固定部材の弾性係合片の先端が係合する。こうして、ビスが取着体のボス部に固定され、被取着物は、取着体に取着される。ここで、ビス軸部が挿入される挿入孔は、ビス固定部材が収容される収容空間よりも前側の第１のビス規制孔と、収容空間よりも奥側の第２のビス規制孔を有している。そして、収容空間を挟むように位置するこれら第１および第２のビス規制孔により、ビス軸部は、挿入孔の略中心線上に位置するように規制され、こうして、ビスが挿入孔に対して傾くのを防ぐことができる。また、ビス軸部を挿入孔に挿入して、ビス軸部の雄ねじに弾性係合片が係合している場合には、必ず、ビス軸部のねじ形成部あるいは滑面部が、第２のビス規制孔に嵌まることとなる。したがって、ビス軸部の雄ねじに弾性係合片が係合すれば、常に、この第２のビス規制孔と第１のビス規制孔により、ビスが挿入孔に対して傾くのを防ぐことができる。
【発明の効果】
【００１２】
この発明に係る取着体および取着装置によれば、収容空間を挟むように位置する第１および第２のビス規制孔により、ビス軸部を挿入孔の略中心線上に位置するように規制して、ビスが挿入孔に対して傾くのを防ぐことで、ビス固定部材の弾性係合片をビス軸部の雄ねじに的確に係合させることができる。
【発明を実施するための最良の形態】
【００１３】
以下、この発明を実施するための最良の形態を図面に基づいて説明する。
【００１４】
図１ないし図９は、本発明の一実施の形態を示す。図中符号１は、建物の壁である。２は、被取着物としての、コンセントとかスイッチ等の配線器具である。３は、その被取着物としての配線器具２を保持する保持材としての保持パネルである。４は、固着具としてのビスである。このビス４におけるビス軸部４ａは、雄ねじが形成されたねじ形成部４ｂと、そのねじ形成部４ｂよりも先端側に位置して平滑な周面を備えた滑面部４ｃとを有する。５は、被取着物としての前記配線器具２が、ビス４を用いて取着される、取着体としてのボックス、特に配線用ボックスである。１０は、取着装置としてのボックス装置であって、前記取着体としての配線用ボックス５と、前記ビス４とからなる。
【００１５】
ここで、保持パネル３は、枠状に形成されており、その枠内に、配線器具２が取り付けられる。そして、保持パネル３は、その各側、例えば上下の各側に、ビス４が挿通される孔３ａが形成されている。
【００１６】
取着体としての配線用ボックス５は、取着体本体としてのボックス本体６と、ビス４を固定するための、板材からなるビス固定部材７とからなる。ボックス本体６は、一方に開放部６ａを有する内部空間６ｂを形成するようにその内部空間６ｂを囲む周壁６ｃと、周壁６ｃの内面側に位置するボス部６ｄとを備える。そして、ボス部６ｄには、ビス４のビス軸部４ａが前記開放部６ａ側から挿入される挿入孔６ｅと、その挿入孔６ｅと連通するとともにビス固定部材７が収容される収容空間６ｆとが設けられている。挿入孔６ｅは、前記ビス軸部４ａを挿入孔６ｅの略中心線６ｇ上に位置するよう規制するための、前記収容空間６ｆよりも前側に設けられた第１のビス規制孔６ｈと、前記収容空間６ｆよりも奥側（後側）に設けられた第２のビス規制孔６ｉとを有する。図示実施の形態においては、第１および第２のビス規制孔６ｈ、６ｉは、前記ビス軸部４ａ（詳細には、ねじ形成部４ｂ）がちょうど嵌まる断面円形に形成されている。そして、第２のビス規制孔６ｉは、ビス固定部材７の後述する弾性係合片７ｂがビス軸部４ａのねじ形成部４ｂの先端に位置する雄ねじに係合したとき、ビス軸部４ａの滑面部４ｃが第２のビス規制孔６ｉに嵌まるように、位置している（図７参照）。なお、滑面部４ｃは、このビス軸部４ａを転造により形成する際の素材がそのままの状態で現れており、ねじ形成部４ｂの外径よりも若干小さな外径となっている。
【００１７】
ビス固定部材７は、弾性係合片７ｂ（図示実施の形態においては、一つの弾性係合片７ｂ）を備えている。この弾性係合片７ｂは、その弾性係合片７ｂの先端が挿入孔６ｅに挿入された前記ビス軸部４ａの雄ねじに係合して、そのビス軸部４ａの抜けを阻止するよう、挿入孔６ｅ側に向かって延設されている。そこで、配線用ボックス５に、前記ビス軸部４ａの雄ねじに係合した弾性係合片７ｂの、その延設方向と直交する横方向側の両側面７ｅ、７ｅと対向するようにして、前記弾性係合片７ｂの、前記横方向への変形を規制する、変形規制部８、８が設けられる（図３、図６参照）。
【００１８】
ここにおいて、挿入孔６ｅへのビス軸部４ａの挿入に対しては、弾性係合片７ｂは、ビス軸部４ａの挿入方向Ｐへ傾斜するように、あるいは、挿入方向Ｐへの傾斜が増すように（図示実施の形態においては、挿入方向Ｐへの傾斜が増すように）弾性変形することで、ビス軸部４ａの、前記挿入方向Ｐへの移動を許容する。反対に、挿入孔６ｅからのビス軸部４ａの抜けに対しては、ビス軸部４ａと係合した弾性係合片７ｂが、ビス軸部４ａの抜け方向Ｑへ、前記挿入方向Ｐへの傾斜が減ずるように弾性変形しようとして、ビス軸部４ａを押圧することにより、弾性係合片７ｂの、前記抜け方向Ｑへの弾性変形を困難にして、ビス軸部４ａの、前記抜け方向Ｑへの移動を阻止する。
【００１９】
具体的には、ボックス本体６は、例えば合成樹脂製であって、前側に前記開放部６ａを備えた箱型形状、例えば直方体形状をしている。そこで、ボス部６ｄは、ボックス本体６の、例えば上下の各側に、周壁６ｃから内部空間６ｂ側に突出するようにして形成される。そして、このボス部６ｄに、ボックス本体６の前側（つまり、前記開放部６ａ側）から後方に向かって、前記挿入孔６ｅが形成される。また、ボス部６ｄには、前記収容空間６ｆが、挿入孔６ｅと交差する方向に延設されて、その交差する方向に開口するよう形成されている。詳細には、収容空間６ｆは、挿入孔６ｅと直交する方向に延設されて、その直交する方向に開口（図示実施の形態においては、ボックス本体６の周壁６ｃに開口）している。この収容空間６ｆは、図３に示すように、前側の幅広部６ｊと、後側の幅狭部６ｋとから構成されている。そして、収容空間６ｆ（図示実施の形態においては幅狭部６ｋ）を形成する壁面が、前記変形規制部８、８となっている（図３、図６参照）。詳細には、変形規制部８、８は、収容空間６ｆ（図示実施の形態においては幅狭部６ｋ）のその幅を形成する壁面からなり、その壁面からなる変形規制部８、８間に、弾性係合片７ｂがちょうど嵌まるようになっている。すなわち、収容空間６ｆ（図示実施の形態においては幅狭部６ｋ）の幅は、弾性係合片７ｂの幅と略同一となっている。
【００２０】
そして、収容空間６ｆには、ビス固定部材７の後述する本体部７ａの板面を部分的に押えるための一対の押えリブ６ｍ、６ｍが、挿入孔６ｅに挿入されたビス軸部４ａを挟むように、かつ、収容空間６ｆの延設方向に延びるように形成されている（図２〜図４参照）。詳細には、押えリブ６ｍは、幅広部６ｊに設けられており、その幅広部６ｊにおける、幅狭部６ｋとは反対側に位置する天面から突出して形成されている。
【００２１】
また、挿入孔６ｅには、ビス固定部材７の弾性係合片７ｂと対向して、ビス軸部４ａを弾性係合片７ｂがある側とは反対側の方向および弾性係合片７ｂの延設方向と直交する横方向に移動しないように規制するビス規制部６ｎが設けられている（図２、図６参照）。詳細には、ビス規制部６ｎは、前記第１のビス規制孔６ｈと前記第２のビス規制孔６ｉとの間にあって、幅狭部６ｋの奥側の、前記変形規制部８に連設された半円弧状の壁面からなる。
【００２２】
ビス固定部材７は、ばね性を有する板材、例えば、鋼板とか銅合金板等の金属板からなり、本体部７ａと、その本体部７ａから延設される前記弾性係合片７ｂとを備える。本体部７ａは、枠状に形成されており、その枠内に、前記弾性係合片７ｂと、ビス軸部４ａが挿通される孔７ｃとが並んで設けられている。弾性係合片７ｂは、本体部７ａ内側の、孔７ｃとは反対側から折れ曲がって、孔７ｃ側、つまりは挿入孔６ｅ側に向かうとともに、若干ビス軸部４ａの挿入方向Ｐに傾くように延設されている。そして、弾性係合片７ｂの先端には、挿入孔６ｅに挿入されたビス軸部４ａの外周に沿うように、弧状の凹部７ｄが形成されている。すなわち、この凹部７ｄが、挿入孔６ｅに挿入されたビス軸部４ａの雄ねじに係合するようになっている。そして、このビス固定部材７は、弾性係合片７ｂが、孔７ｃ、つまりは挿通孔６ｅよりも、ボス部６ｄの基端側となるようにして、収容空間６ｆに収容される。また、このビス固定部材７は、その本体部７ａが、収容空間６ｆにおける幅広部６ｊに収容されて保持され、弾性係合片７ｂが、収容空間６ｆにおける幅狭部６ｋに弾性変形可能に収容される（図３参照）。
【００２３】
次に、以上の構成からなる配線用ボックス５およびボックス装置１０の作用効果について説明する。この配線用ボックス５は、予め、壁１の裏側の柱等に、木ねじ等の固着具により取り付けられている。そこで、この配線用ボックス５に配線器具２を取り付けるには、配線用ボックス５に対応して壁１に明けられた壁孔１ａ部分における、壁１の表面に、配線器具２を取り付けた保持パネル３を宛がう。その後、ビス４（詳細には、ビス軸部４ａ）を保持パネル３の孔３ａに通し、この配線用ボックス５のボス部６ｄに設けられた挿入孔６ｅに、前側（すなわち、開放部６ａ側）からビス４のビス軸部４ａを押し込むようにして挿入する。こうすることで、ボス部６ｄの収容空間６ｆに収容されたビス固定部材７の弾性係合片７ｂの先端部分が、ビス軸部４ａに押圧される。それに伴って、弾性係合片７ｂが、ビス軸部４ａの挿入方向Ｐへ傾斜するように、あるいは、挿入方向Ｐへの傾斜が増すように（図示実施の形態においては、挿入方向Ｐへの傾斜が増すように）弾性変形して、ビス軸部４ａの、挿入方向Ｐへの移動が許容され、このビス軸部４ａは、ビス固定部材７の孔７ｃに挿通されるようにして、挿入孔６ｅに挿入される。そして、ビス４の押し込みを終えると、弾性係合片７ｂの先端（詳細には、凹部７ｄ）は、ビス軸部４ａの雄ねじに係合する。こうして、ビス４が配線用ボックス５のボス部６ｄに固定され、配線器具２は、保持パネル３とともに配線用ボックス５に取着される。
【００２４】
ここで、ビス軸部４ａが挿入される挿入孔６ｅは、ビス固定部材７が収容される収容空間６ｆよりも前側の第１のビス規制孔６ｈと、収容空間６ｆよりも奥側の第２のビス規制孔６ｉを有している。そして、収容空間６ｆを挟むように位置するこれら第１および第２のビス規制孔６ｈ、６ｉにより、ビス軸部４ａは、挿入孔６ｅの略中心線６ｇ上に位置するように規制され、こうして、ビス４が挿入孔６ｅに対して傾くのを防ぐことができる。そして、このように、ビス４が挿入孔６ｅに対して傾くのを防ぐことで、ビス固定部材７の弾性係合片７ｂをビス軸部４ａの雄ねじに的確に係合させることができる。なお、この効果、すなわち、弾性係合片７ｂをビス軸部４ａの雄ねじに的確に係合させることができるという効果を十分に生かすためには、製造誤差を考慮した最大径のビス軸部４ａ（詳細には、ねじ形成部４ｂ）に合わせて、第１および第２のビス規制孔６ｈ、６ｉを形成する必要がある。つまり、第１および第２のビス規制孔６ｈ、６ｉの径を、ビス軸部４ａ（詳細には、ねじ形成部４ｂ）より大きいが、ビス軸部４ａが挿入孔６ｅの略中心線６ｇ上に位置するように規制される程度に小さくすることで、この効果を奏する。
【００２５】
また、挿入孔６ｅにおける、収容空間６ｆよりも奥側の第２のビス規制孔６ｉは、弾性係合片７ｂがビス軸部４ａのねじ形成部４ｂの先端に位置する雄ねじに係合したとき、ビス軸部４ａの滑面部４ｃが第２のビス規制孔６ｉに嵌まるように、位置している（図７参照）。このことから、ビス軸部４ａを挿入孔６ｅに挿入して、ビス軸部４ａの雄ねじに弾性係合片７ｂが係合している場合には、必ず、ビス軸部４ａのねじ形成部４ｂあるいは滑面部４ｃが、第２のビス規制孔６ｉに嵌まることとなる。したがって、ビス軸部４ａの雄ねじに弾性係合片７ｂが係合すれば、常に、この第２のビス規制孔６ｉと第１のビス規制孔６ｈにより、ビス４が挿入孔６ｅに対して傾くのを防ぐことができる。
【００２６】
また、ビス４に抜け方向Ｑの力が作用して、ビス軸部４ａの雄ねじに係合した弾性係合片７ｂが横方向に変形しようとすると、その変形を、弾性係合片７ｂの両側面７ｅ、７ｅに対向して設けられた変形規制部８、８が規制する。こうして、この変形規制部８により、弾性係合片７ｂが横方向に変形するのを防ぐことができる。そして、このように、弾性係合片７ｂが横方向に変形するのを防ぐことで、ビス４を抜け難くすることができる。
【００２７】
また、収容空間６ｆに、ビス固定部材７の本体部７ａの板面を部分的に押える一対の押えリブ６ｍ、６ｍを設けることで、それら押えリブ６ｍ、６ｍの突出高さに応じて、収容空間６ｆを広くすることができる。このため、この収容空間６ｆの形成が容易となる。特に、ボックス本体６を樹脂成形する場合には、その樹脂成形に用いられる金型の、収容空間６ｆを形成するための金型構成部（スライド型）の強度を使用に耐えるものとすることができる。しかも、一対の押えリブ６ｍ、６ｍがビス軸部４ａを挟むことから、これら押えリブ６ｍ、６ｍによって、挿入孔６ｅへのビス軸部４ａの挿入途中において、ビス４が傾くのを規制することができる。さらに、挿入孔６ｅには、弾性係合片７ｂと対向して、ビス規制部６ｎが設けられており、このビス規制部６ｎによっても、挿入孔６ｅへのビス軸部４ａの挿入途中において、ビス４が傾くのを規制することができる。
【００２８】
ところで、配線用ボックス５に配線器具２を取り付ける際に、配線用ボックス５の挿入孔６ｅにビス４のビス軸部４ａを押し込んだ後、さらに、そのビス４を、その締め付け方向に回動してもよい。このように、ビス４に締め付け方向の回動を加えることで、この配線用ボックス５に配線器具２を強固に固定することが可能となる。
【００２９】
反対に、配線用ボックス５から配線器具２を取り外すには、弾性係合片７ｂが係合したビス４を、その緩み方向に回動する。こうすることで、ビス４は、後退してボス部６ｄ（詳細には、挿入孔６ｅ）から取り除かれ、配線器具２は、保持パネル３とともに、配線用ボックス５から取り外される。
【００３０】
なお、本発明は、上述した実施の形態に限定されるわけではなく、その他種々の変更が可能である。例えば、取着体は、内部空間６ｂが一方に開放部６ａを有する配線用ボックス５等でなくとも、内部空間が一方に開放部を有するとともに他方にも開放する枠状の取着体であってもよい。この枠状の取着体としては、例えば被取着物としての配線器具２が取着されるとともに配線用ボックスに取り付けられる配線用ボックスカバー等がある。ここで、配線用ボックスカバーとしては、塗代付きのボックスカバーとか板状のボックスカバー等がある。さらに、取着体は、これら配線用ボックス５とか配線用ボックスカバーでなくとも、被取着物がビス４を用いて取着されるものであればどのようなものでもよい。
【００３１】
また、被取着物は、配線器具２でなくとも、例えば、取着体としての配線用ボックス５に取着される配線用ボックスカバーであってもよく、配線器具２に限定されるものではない。
【００３２】
また、第１および第２のビス規制孔６ｈ、６ｉは、ビス軸部４ａがちょうど嵌まる断面円形に形成されているが、ビス軸部４ａを挿入孔６ｅの略中心線６ｇ上に位置するよう規制するのであれば、断面円形に限らず、その一部が切り欠かれる等、ビス軸部４ａの周方向において部分的に接触するような形状であってもよく、また、ちょうど嵌まるように形成されなくとも、ビス軸部４ａとの間に若干の隙間を有するように形成されてもよい。また、第１のビス規制孔６ｈと、第２のビス規制孔６ｉとは、同じ径であるのが望ましいが、挿入孔６ｅにビス軸部４ａを挿入しやすいように、前側となる第１のビス規制孔６ｈの径を、第２のビス規制孔６ｉの径よりも若干大きく設定してもよい。
【００３３】
また、変形規制部８、８は、その変形規制部８、８間に弾性係合片７ｂがちょうど嵌まるように形成されなくとも、弾性係合片７ｂとの間に若干の隙間を有するように形成されてもよい。また、この変形規制部８は、収容空間６ｆを形成する壁面からならなくとも、図１０に示すように、ビス固定部材７によって、すなわち、ビス固定部材７の本体部７ａの一部が、弾性係合片７ｂの両側面７ｅ、７ｅと対向するように折り曲げ形成される等により、変形規制部８、８が形成されても構わない。
【００３４】
また、弾性係合片７ｂは、その全体が、基端側から先端側に向かうにつれて、ビス軸部４ａの挿入方向Ｐに進むように傾斜して形成されているが、図１１に示すように、先端部分が、例えば、挿入孔６ｅの中心線６ｇに対して略垂直となるように折れ曲がっていてもよい。
【００３５】
また、弾性係合片７ｂは、ビス軸部４ａが挿入孔６ｅに挿入される前から挿入方向Ｐに傾斜していてもよいが、ビス軸部４ａが挿入される前においては、挿入孔６ｅの中心線６ｇと直交し、ビス軸部４ａを挿入することで、弾性係合片７ｂが、ビス軸部４ａに押されて、そのビス軸部４ａの挿入方向Ｐへ傾斜するように、弾性変形するものであってもよい。また、弾性係合片７ｂは、始めから、その弾性係合片７ｂの先端がビス軸部４ａの雄ねじの螺旋に沿うように傾いていても構わない。
【００３６】
また、ビス固定部材７には、弾性係合片７ｂが一つ設けられているが、複数設けられてもよい。すなわち、弾性係合片７ｂは、例えば、対向するようにして一対設けられたり、あるいは、放射状に三つ以上設けられたりしてもよい。
【図面の簡単な説明】
【００３７】
【図１】この発明の一実施の形態の、縦断面図である。
【図２】同じく、図１におけるＡ部拡大図である。
【図３】同じく、図２におけるＢ矢視図である。
【図４】同じく、図２におけるＣ−Ｃ線による断面図である。
【図５】同じく、図２におけるＤ−Ｄ線による断面図である。
【図６】同じく、図２におけるＥ−Ｅ線による断面図である。
【図７】同じく、弾性係合片が係合するビス軸部の係合位置が異なる場合の、図２相当図である。
【図８】同じく、ビス固定部材の拡大図である。
【図９】同じく、図８におけるＦ−Ｆ線による断面図である。
【図１０】ビス固定部材の変形例を示す、斜視図である。
【図１１】ビス固定部材の他の変形例を示す、図９相当図である。
【図１２】従来の配線用ボックスを示す要部拡大断面図である。
【符号の説明】
【００３８】
２  配線器具（被取着物）
４  ビス
４ａ  ビス軸部
４ｂ  ねじ形成部
４ｃ  滑面部
５  配線用ボックス（取着体）
６  ボックス本体（取着体本体）
６ａ  開放部
６ｂ  内部空間
６ｃ  周壁
６ｄ  ボス部
６ｅ  挿入孔
６ｆ  収容空間
６ｇ  中心線
６ｈ  第１のビス規制孔
６ｉ  第２のビス規制孔
６ｍ  押えリブ
６ｎ  ビス規制部
７  ビス固定部材
７ａ  本体部
７ｂ  弾性係合片
１０  ボックス装置（取着装置）
【図１】
0004677308.tif 000002
【図２】
0004677308.tif 000003
【図３】
0004677308.tif 000004
【図４】
0004677308.tif 000005
【図５】
0004677308.tif 000006
【図６】
0004677308.tif 000007
【図７】
0004677308.tif 000008
【図８】
0004677308.tif 000009
【図９】
0004677308.tif 000010
【図１０】
0004677308.tif 000011
【図１１】
0004677308.tif 000012
【図１２】
0004677308.tif 000013